(57)【要約】【課題】在室か否かの判定精度を向上する。【解決手段】ドア状態情報を取得するドア状態情報取得部と、照度情報を取得する照度情報取得部と、制御部（４０）とを備え、制御部（４０）は、ドア状態情報と、照度情報とを参照して、所定の部屋の在室状態を判定する。【選択図】図１
2019074471.tif 000002
【特許請求の範囲】
【請求項１】
ドア状態情報を取得するドア状態情報取得部と、
照度情報を取得する照度情報取得部と、
制御部とを備え、
上記制御部は、上記ドア状態情報と、上記照度情報とを参照して、所定の部屋の在室状態を判定する
ことを特徴とする在室判定装置。
【請求項２】
人間の所在情報を取得する所在情報取得部を更に備え、
上記制御部は、上記所在情報を更に参照して、所定の部屋の在室状態を判定する
ことを特徴とする請求項１に記載の在室判定装置。
【請求項３】
上記制御部は、
所定の時間離れた複数の時点における上記照度情報又は所在情報を参照して、所定の部屋の在室状態を判定する
ことを特徴とする請求項２に記載の在室判定装置。
【請求項４】
上記制御部は、上記照度情報の変化を参照して、所定の部屋の在室状態を判定する
ことを特徴とする請求項１から３の何れか１項に記載の在室判定装置。
【請求項５】
上記制御部は、上記ドア状態情報と、上記照度情報とを参照して、部屋の照明が消し忘れられたか否かを判定する
ことを特徴とする請求項１から４の何れか１項に記載の在室判定装置。
【請求項６】
上記制御部は、上記ドア状態情報と、上記照度情報とを参照して、消灯が在室中に行われたか否かを判定する
ことを特徴とする請求項１から４の何れか１項に記載の在室判定装置。
【請求項７】
ドア状態情報及び照度情報を取得する取得ステップと、
上記取得ステップにて取得したドア状態情報及び照度情報を参照して、所定の部屋の在室状態を判定する判定ステップと
を含んでいることを特徴とする在室判定方法。
【請求項８】
上記取得ステップにおいて、複数の部屋のそれぞれの上記ドア状態情報および上記照度情報を取得し、
複数の部屋の予約状況と、上記判定ステップの各部屋の判定結果とを参照して、予約状況に応じた所定の通知を通信相手に通知する通知ステップを更に含んでいる
ことを特徴とする請求項７に記載の在室判定方法。
【請求項９】
各部屋の予約状況と、上記判定ステップの判定結果と、キャンセル待ち情報と、を参照して、キャンセル待ち情報に応じた所定の通知を通信相手に通知するキャンセル待ち通知ステップを更に含んでいることを特徴とする請求項８に記載の在室判定方法。
【発明の詳細な説明】
【技術分野】
【０００１】
本発明は、在室判定装置、および、在室判定方法に関する。
【背景技術】
【０００２】
従来、室内に設置されたセンサにより検出された室内の照度に基づいて、会議室の利用状況を管理する技術が知られている（例えば、特許文献１参照）。
【先行技術文献】
【特許文献】
【０００３】
【特許文献１】特開平２０１４−２７４８３号公報（２０１４年２月６日公開）
【発明の概要】
【発明が解決しようとする課題】
【０００４】
しかしながら、上述のような従来技術は、例えば窓から入る日光の影響により室内が明るくなった場合と、照明の点灯により室内が明るくなった場合とを区別することができず、会議室の利用状況の判定に誤りが生じる可能性があるという問題があった。
【０００５】
本発明の一態様は、上述した事情に鑑みてなされたものであり、在室状態の判定精度を向上することができる技術を実現することを目的とする。
【課題を解決するための手段】
【０００６】
上記の課題を解決するために、本発明の一態様に係る在室判定装置は、ドア状態情報を取得するドア状態情報取得部と、照度情報を取得する照度情報取得部と、制御部とを備え、上記制御部は、上記ドア状態情報と、上記照度情報とを参照して、所定の部屋の在室状態を判定する構成である。
【発明の効果】
【０００７】
本発明の一態様によれば、在室状態の判定精度を向上することができる。
【図面の簡単な説明】
【０００８】
【図１】実施形態１に係る在室判定装置の要部構成を示すブロック図である。
【図２】実施形態１に係る在室判定装置による処理を示すフローチャートである。
【図３】実施形態１に係る在室判定装置による処理を示すフローチャートである。
【図４】（ａ）、（ｂ）は部屋の照度の時間に対する変化を示すグラフである。
【図５】実施形態１に係る在室判定装置による処理を示すフローチャートである。
【図６】実施形態１に係る在室判定装置による処理を示すフローチャートである。
【図７】（ａ）、（ｂ）は部屋の照度の時間に対する変化を示すグラフである。
【図８】実施形態１に係る在室判定装置による処理を示すフローチャートである。
【図９】実施形態１に係る在室判定装置による処理を示すフローチャートである。
【図１０】実施形態２に係る在室判定装置の要部構成を示すブロック図である。
【図１１】実施形態２に係る在室判定装置による処理を示すフローチャートである。
【図１２】実施形態２に係る在室判定装置による処理を示すフローチャートである。
【図１３】実施形態２に係る在室判定装置による処理を示すフローチャートである。
【図１４】キャンセル待ち情報が書き込まれたデータテーブルの一例を示す図である。
【図１５】部屋の使用状況の表示例を示す図である。
【図１６】実施形態２に係る在室判定装置による処理を示すフローチャートである。
【図１７】実施形態２に係る在室判定装置による処理を示すフローチャートである。
【図１８】実施形態２に係る在室判定装置による処理を示すフローチャートである。
【図１９】実施形態３に係る遠隔会議システムの要部構成を示すブロック図である。
【図２０】コンピュータ９１０の構成を例示したブロック図である。
【発明を実施するための形態】
【０００９】
〔実施形態１〕
以下、本発明の実施形態１について、詳細に説明する。
【００１０】
〔在室判定装置の概要〕
図１は、本実施形態に係る在室判定装置１００の要部構成を示すブロック図である。
【００１１】
図１に示すように、在室判定装置１００は、制御部４０、ドアセンサ（ドア状態取得部）１５、および照度センサ（照度情報取得部）１６を備えている。また、在室判定装置１００は、人感センサ（所在情報取得部）１７を備えていてもよい。また、在室判定装置１００は、記憶部３０を備えていてもよい。在室判定装置１００は、公共施設、会社、学校、一般家庭等の１つまたは複数の部屋を備えた場所で用いることができ、一つまたは複数の部屋のそれぞれの在室状態を判定する装置である。
【００１２】
なお、本実施形態では、在室判定装置１００は、１つの制御部４０を備える場合を例に挙げて説明するが、本発明はこれに限定されるものではい。例えば、在室判定装置１００は１又は複数の制御部を備え、これらの複数の制御部が共同で処理を行っている構成であってもよい。また、在室判定装置１００は１又は複数の通信部を備え、これらの複数の通信部が共同で外部サーバや外部機器との通信を行っている構成であってもよい。
【００１３】
また、ドアセンサ１５、照度センサ１６、および人感センサ１７は、必ずしも在室判定装置１００の一部として実装されていなくてもよい。ドアセンサ１５、照度センサ１６、および人感センサ１７は、それらの一部、または全てが例えばＢｌｕｅｔｏｏｔｈ（登録商標）等のような無線通信装置を備えた独立した装置になっており、在室判定装置１００はそれらのセンサから無線通信を介して情報を収集する構成であってもよい。
【００１４】
制御部４０は、在室判定装置１００の各部を統括的に制御する機能を備えている演算装置である。制御部４０は、例えば１つ以上のプロセッサ（例えばＣＰＵなど）が、１つ以上のメモリ（例えばＲＡＭやＲＯＭなど）に記憶されているプログラムを実行することで在室判定装置１００の各構成要素を制御する。
【００１５】
制御部４０は、在室判定部４１と、照明状況判定部４４と、を備えている。制御部４０は、在室判定部４１および照明状況判定部４４の機能により、ドアセンサ１５、および照度センサ１６の出力を参照して、ドアセンサ１５、および照度センサ１６が設けられている部屋が在室中であるか否かを判定する。制御部４０は、ドアセンサ１５、および照度センサ１６に加えて、人感センサ１７の出力を参照して、所定の部屋の在室状態の判定を行ってもよい。
【００１６】
照明状況判定部４４は、照度センサ１６の出力を参照して、照明がＯＮからＯＦＦになったか、または、ＯＦＦからＯＮになったかの照明状況を判定する。
【００１７】
在室判定部４１は、ドアセンサ１５および照度センサ１６の出力と、照明状況判定部４４の判定結果とを参照して、所定の部屋の在室状態を判定する。また、在室判定部４１は、ドアセンサ１５および照度センサ１６の出力と、照明状況判定部４４の判定結果とに加えて、人感センサ１７の出力を参照して、所定の部屋の在室状態を判定してもよい。
【００１８】
ドアセンサ１５は、所定の部屋のドアの開閉を含むドア状態情報を取得するドア状態情報取得部の一例である。ドアセンサ１５は、マグネットスイッチやリミットスイッチを用いた従来公知の開閉検出センサを用いて構成することができる。なお、本実施形態では、ドア状態情報取得部の一例としてドアセンサ１５を用いた構成について説明しているが、これに限られるものではない。ドア状態情報取得部は、ドアの開閉を含むドア状態情報を取得することができれば、ドアセンサに限らず、例えば、ドアセンサと通信を行ってドア状態情報を取得する通信部である構成であってもよい。
【００１９】
照度センサ１６は、所定の部屋内の照度情報（ｌｘ）を取得する照度情報取得部の一例である。照度センサ１６は、フォトトランジスタやフォトダイオードを用いた従来公知の照度センサを用いて構成することができる。なお、本実施形態では、照度情報取得部の一例として照度センサ１６を用いた構成について説明しているが、これに限られるものではない。照度情報取得部は、所定の部屋内の照度状態情報を取得することができれば、照度センサに限らず、例えば、照度センサと通信を行って照度情報を取得する通信部である構成であってもよい。
【００２０】
人感センサ１７は、所定の部屋内の人間の所在情報を取得する所在情報取得部の一例である。人感センサ１７は、赤外線、超音波、可視光等を用いた従来公知の人感センサを用いて構成することができる。なお、本実施形態では、所在情報取得部の一例として人感センサ１７を用いた構成について説明しているが、これに限られるものではない。所在情報取得部は、所定の部屋内の人間の所在情報を取得することができれば、人感センサに限らず、例えば、人感センサと通信を行って所在情報を取得する通信部である構成であってもよい。
【００２１】
記憶部３０は、制御部４０で用いられる種々のデータを格納するストレージである。記憶部３０は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００２２】
〔在室判定の処理〕
図２〜図４を用いて制御部４０による在室判定の処理を説明する。
【００２３】
（在室判定部４１による処理）
図２は、在室判定部４１による在室判定処理を示すフローチャートである。まず、図２を参照して、在室判定部４１による在室判定処理の流れを説明する。
【００２４】
（ステップＳ１０１）
在室判定部４１は、ドアセンサ１５の出力を参照して、ドアが開閉したか否かを判定する。ドアが開閉したと判定した場合、在室判定部４１は、ステップＳ１０２に進む。ドアが開閉していないと判定した場合、在室判定部４１は、ステップＳ１０１に戻り、ドアの開閉を検出するまで、ドアの開閉を監視する。
【００２５】
（ステップＳ１０２）
在室判定部４１は、照明状況判定部４４の判定結果を参照して、部屋の照明がＯＦＦからＯＮに変わったかを判定する。在室判定部４１は、部屋の照明がＯＦＦからＯＮに変わったと判定するとステップＳ１０３に進む。部屋の照明がＯＦＦからＯＮに変わっていないと判定した場合、在室判定部４１は、ステップＳ１０２に戻り、部屋の照明がＯＦＦからＯＮに変わったことを検出するまで、照明状況を監視する。
【００２６】
（ステップＳ１０３）
在室判定部４１は、部屋が在室中であると判定して、処理を終了する。
【００２７】
このように、在室判定部４１は、ドア状態情報と、照度情報とを参照して、所定の部屋の在室状態を判定する。
【００２８】
（照明状況判定部４４による処理）
図３は、照明状況判定部４４による照明がＯＦＦからＯＮになったことを判定する処理を示すフローチャートである。図３を参照して、照明がＯＦＦからＯＮになったことを判定する処理の流れを説明する。
【００２９】
（ステップＳ１１１）
照明状況判定部４４は、照度センサ１６の出力を参照して、照度を測定し、測定した照度を照度Ｘとする。
【００３０】
（ステップＳ１１２）
照明状況判定部４４は、所定時間、例えば１分間、処理を保留する。
【００３１】
（ステップＳ１１３）
照明状況判定部４４は、照度センサ１６の出力を参照して、照度を測定し、測定した照度を照度Ｙとする。
【００３２】
（ステップＳ１１４）
照明状況判定部４４は、ステップS１１３で測定した照度Ｙが閾値、例えば１００ｌｘ、未満であるか否かを判定する。照度Ｙが閾値未満であると判定すると、照明状況判定部４４は、ステップＳ１１５に進む。現在の照度が閾値未満ではないと判定すると、照明状況判定部４４は、ステップＳ１１６に進む。
【００３３】
（ステップＳ１１５）
照明状況判定部４４は、照度センサ１６の出力を参照して、照度を測定し、測定した照度を、照度Ｘとして再定義し、ステップＳ１１２に戻る。
【００３４】
（ステップＳ１１６）
照明状況判定部４４は、照度Ｙの値が、照度Ｘの値に所定値、例えば１００ｌｘ、を加算した値よりも大きいか否かを判定する。照度Ｙ＞照度Ｘ＋所定値であると判定すると、照明状況判定部４４は、ステップＳ１１７に進む。照度Ｙ＞照度Ｘ＋所定値ではないと判定すると、照明状況判定部４４は、ステップＳ１１１に戻り処理をやり直す。
【００３５】
（ステップＳ１１７）
照明状況判定部４４は、部屋の照明がＯＦＦからＯＮに変わったと判定し、処理を終了する。
【００３６】
図４は、照度変化を示す図であり、図４（ａ）は日光の影響が大きい場合の部屋の照度変化を示し、図４（ｂ）は照明がＯＦＦからＯＮになった場合の部屋の照度変化を示す。
【００３７】
図４（ａ）に示すように、部屋の照度変化に対する日光の影響が大きい場合、部屋の照度は緩やかに変化する。そのため、所定時間、例えば１分間、での照度変化は小さくなる。よって、照明状況の変化を判定する際に、所定の時間離れた複数の時点における照度センサの出力を参照して、所定の時間間隔での照度の変化が小さい場合には、部屋の照度が閾値に達していても、照明ＯＮとは判定しない。
【００３８】
一方で、所定の時間間隔での照度の変化が大きく、部屋の照度が閾値に達している場合には、照明ＯＮと判定する。このように、所定時間での照度の変化量に応じて照明がＯＦＦからＯＮに変わったことを判定するため、窓からの日光の影響によって、照明がＯＦＦからＯＮに変わったことを誤判定することがない。
【００３９】
このように、ドアセンサ１５の出力と、照度センサ１６の出力の変化とを参照して所定の部屋の在室状態を判定するため、照度センサのみで在室状態の判定を行うのに比べて、在室状態の判定精度を向上することができる。また、ドアセンサ１５の出力と、所定の時間離れた複数の時点における照度センサ１６の出力を参照して在室状態を判定するため、在室状態の判定精度をより向上することができる。
【００４０】
〔退室判定の処理〕
図５〜図７を用いて制御部４０による退室判定の処理を説明する。
【００４１】
（在室判定部４１による処理）
図５は、在室判定部４１による退判定処理を示すフローチャートである。
【００４２】
（ステップＳ１２１）
在室判定部４１は、ドアセンサ１５の出力を参照して、ドアが開閉したか否かを判定する。ドアが開閉したと判定した場合、在室判定部４１は、ステップＳ１２２に進む。ドアが開閉していないと判定した場合、在室判定部４１は、ステップＳ１２１に戻り、ドアの開閉を検出するまで、ドアの開閉を監視する。
【００４３】
（ステップＳ１２２）
在室判定部４１は、照明状況判定部４４の判定結果を参照して、部屋の照明がＯＮからＯＦＦに変わったかを判定する。在室判定部４１は、部屋の照明がＯＮからＯＦＦに変わったと判定するとステップＳ１２３に進む。部屋の照明がＯＮからＯＦＦに変わっていないと判定した場合、在室判定部４１は、ステップＳ１２２に戻り、部屋の照明がＯＮからＯＦＦに変わったことを検出するまで、照明状況を監視する。
【００４４】
（ステップＳ１２３）
在室判定部４１は、照度センサ１６の出力を参照して、現在の照度を計測する。
【００４５】
（ステップＳ１２４）
在室判定部４１は、タイマーをスタートさせ、所定時間、例えば５分間、処理を保留する。なお、在室判定部４１は、タイマーで所定時間を計っている間に、所定時間間隔毎に部屋の照度を計測する構成であってもよい。また、在室判定部４１は、タイマーで所定時間を計った後に部屋の照度を計測する構成であってもよい。
【００４６】
（ステップＳ１２５）
在室判定部４１は、部屋の照度が閾値未満の状態がタイマーで計った所定時間継続したかを判定する。部屋の照度が閾値未満の状態が所定時間継続したと判定すると、在室判定部４１は、ステップＳ１２６に進む。部屋の照度が閾値未満の状態が所定時間継続していないと判定すると、在室判定部４１は、ステップＳ１２１に戻る。在室判定部４１は、タイマーで計っている所定時間内に計測した部屋の照度が毎回閾値未満だった場合に、部屋の照度が閾値未満の状態が所定時間継続したと判定してもよい。また、在室判定部４１は、ステップＳ１２３で測定した部屋の照度と、所定時間経過後の部屋の照度と、が閾値未満である場合に部屋の照度が閾値未満の状態が所定時間継続したと判定してもよい。
【００４７】
（ステップＳ１２６）
在室判定部４１は、退室と判定して、処理を終了する。
【００４８】
（照明状況判定部４４による処理）
図６は、照明状況判定部４４による照明がＯＮからＯＦＦになったことを判定する処理を示すフローチャートである。
【００４９】
（Ｓ１３１）
照明状況判定部４４は、照度センサ１６の出力を参照して、照度を測定し、測定した照度を照度Ｘとする。
【００５０】
（Ｓ１３２）
照明状況判定部４４は、所定時間、例えば１分間、処理を保留する。
【００５１】
（ステップＳ１３３）
照明状況判定部４４は、照度センサ１６の出力を参照して、照度を測定し、測定した照度を照度Ｙとする。
【００５２】
（Ｓ１３４）
照明状況判定部４４は、ステップS１３３で測定した照度Yが閾値、例えば１００ｌｘ、未満であるか否かを判定する。照度Yが閾値未満であると判定すると、照明状況判定部４４は、ステップＳ１３５に進む。現在の照度が閾値未満ではないと判定すると、照明状況判定部４４は、ステップＳ１３６に進む。
【００５３】
（ステップＳ１３５）
照明状況判定部４４は、照明がＯＮからＯＦＦに変わったと判定して、処理を終了する。
【００５４】
（ステップＳ１３６）
照明状況判定部４４は、照度Ｙの値が、照度Ｘの値から所定値、例えば１００ｌｘ、を引き算した値よりも小さいか否かを判定する。照度Ｙ＜照度Ｘ−所定値であると判定すると、照明状況判定部４４は、ステップＳ１３７に進む。照度Ｙ＜照度Ｘ−所定値ではないと判定すると、照明状況判定部４４は、ステップＳ１３１に戻り処理をやり直す。
【００５５】
（ステップＳ１３７）
照明状況判定部４４は、部屋の照明がＯＮからＯＦＦに変わったと判定し、処理を終了する。
【００５６】
図７は、照度変化を示す図であり、図７（ａ）は日光の影響が大きい場合の部屋の照度変化を示し、図７（ｂ）は照明がＯＮからＯＦＦになった場合の部屋の照度変化を示す。
【００５７】
図７（ａ）および図７（ｂ）に示すように、照明をＯＮからＯＦＦにした場合、部屋の照度は瞬時に大きく下がる。しかし、外光により部屋の内部が照らされている場合、図７（ｂ）に示すように、閾値未満にならない場合がある。そこで、所定の時間間隔での照度の変化が大きい場合には、その変化を利用して、照明がＯＮからＯＦＦに変わったと判定する。
【００５８】
このように、ドア状態情報と、所定時間離れた複数の時点における照度情報と、を参照して所定の部屋の在室状態を判定するため、照度情報のみで所定の部屋の在室状態の判定を行うのに比べて、在室状態の判定精度を向上することができる。
【００５９】
〔更に人感センサの出力を参照した場合の処理〕
ところで、人感センサの出力を参照して、部屋が在室であるか否かを判定する技術が一般的に知られている。しかしながら、例えば一般的な赤外線感知方式の人感センサを用いた場合、センサの設置場所や、センサの特性に因って、部屋の隅から隅までの全範囲における人の検出を行うのは難しい。また、在室となってしばらくしてから人感センサによって人が検知されたり、人ではない機材等に人感センサが反応して、人が部屋にいないのにもかかわらず、在室と判定されたりする場合がある。
【００６０】
本実施形態では、人感センサ１７に加えて、照度センサ１６、およびドアセンサ１５の出力を参照して所定の部屋の在室状態の判定を行う。例えば、照度センサ１６だけで在室状態の判定を行った場合には、上述したように、外光の影響によって判定しにくい場合がある。また、ドアセンサ１５だけで在室状態の判定を行った場合には、入室のための開閉か、退室のための開閉かを判断するのが難しい。
【００６１】
よって、以下に、在室状態の判定をより精度良く行うために、ドアセンサ１５、および、照度センサ１６に加えて人感センサ１７の出力を参照して所定の部屋の在室状態の判定を行う処理について図８のフローチャートを参照して説明する。
【００６２】
（ステップＳ１４１）
在室判定部４１は、ドアセンサ１５の出力を参照して、ドアが開閉したか否かを判定する。ドアが開閉したと判定した場合、在室判定部４１は、ステップＳ１４２に進む。ドアが開閉していないと判定した場合、在室判定部４１は、ステップＳ１４１に戻り、ドアの開閉を検出するまで、ドアの開閉を監視する。
【００６３】
（ステップＳ１４２）
在室判定部４１は、人感センサ１７の出力を参照して、人を検知したか否か（人感センサがＯＮになったか否か）を判定する。人を検知したと判定した場合、在室判定部４１は、ステップＳ１４３に進む。人を検知していないと判定した場合、在室判定部４１は、ステップＳ１４２に戻り、人を検知するまで、人の検知を監視する。
【００６４】
（ステップＳ１４３）
在室判定部４１は、照明状況判定部４４の判定結果を参照して、部屋の照明がＯＦＦからＯＮに変わったかを判定する。在室判定部４１は、部屋の照明がＯＦＦからＯＮに変わったと判定するとステップＳ１４４に進む。部屋の照明がＯＦＦからＯＮに変わっていないと判定した場合、在室判定部４１は、ステップＳ１４３に戻り、部屋の照明がＯＦＦからＯＮに変わったことを検出するまで、照明状況を監視する。
【００６５】
（ステップＳ１４４）
在室判定部４１は、部屋が在室中であると判定して、処理を終了する。
【００６６】
（退室判定の処理）
さらに、ドアセンサ１５、および、照度センサ１６に加えて人感センサ１７の出力を参照して退室したか否かの判定を行うことで、退室したか否かの判定をより精度良く行うことができる。退室判定の処理について図９のフローチャートを参照して説明する。
【００６７】
（ステップＳ１５１）
在室判定部４１は、ドアセンサ１５の出力を参照して、ドアが開閉したか否かを判定する。ドアが開閉したと判定した場合、在室判定部４１は、ステップＳ１５２に進む。ドアが開閉していないと判定した場合、在室判定部４１は、ステップＳ１５１に戻り、ドアの開閉を検出するまで、ドアの開閉を監視する。
【００６８】
（ステップＳ１５２）
在室判定部４１は、照明状況判定部４４の判定結果を参照して、部屋の照明がＯＮからＯＦＦに変わったか否かを判定する。在室判定部４１は、部屋の照明がＯＮからＯＦＦに変わったと判定するとステップＳ１５３に進む。部屋の照明がＯＮからＯＦＦに変わっていないと判定した場合、在室判定部４１は、ステップＳ１５２に戻り、部屋の照明がＯＮからＯＦＦに変わったことを検出するまで、照明状況を監視する。
【００６９】
（ステップＳ１５３）
在室判定部４１は、照度センサ１６の出力を参照して、部屋の照明が所定時間、例えば５分間、ＯＦＦからＯＮへ変化していないかどうかを判定する。また、在室判定部４１は、人感センサ１７の出力を参照して、人感センサがＯＦＦの状態、つまり、人を検知していない状態が所定時間継続しているか否かを判定する。在室判定部４１は、部屋の照明が所定時間、ＯＦＦからＯＮへ変化していない、且つ、人感センサがＯＦＦの状態が所定時間継続していると判定した場合に、ステップＳ１５４に進む。在室判定部４１は、部屋の照明が所定時間内に、ＯＦＦからＯＮへ変化した、または、人感センサが所定時間内にＯＦＦの状態からＯＮの状態に変化したと判定した場合に、ステップＳ１５１に戻る。
【００７０】
（ステップＳ１５４）
在室判定部４１は、退室したと判定して、処理を終了する。
【００７１】
このように、ドア状態情報と、照度情報とに加えて、人間の所在情報とを参照して、所定の部屋の在室状態を判定するため、在室状態の判定を精度良く行うことができる。また、ドア状態情報と、所定時間離れた複数の時点における照度情報または所在情報と、を参照して所定の部屋の在室状態を判定するため、より精度良く在室状態の判定を行うことができる。
【００７２】
この判定方法を用いることによって、プロジェクターを使用するためなどの理由で、在室中に部屋の電気を消灯していた場合、また、在室中に部屋の電気を消灯している状態で、複数人の在室者のうち数名が退室した場合であっても、より適切に在室状態を判定することができる。
【００７３】
〔実施形態２〕
本発明の実施形態２について、以下に説明する。なお、説明の便宜上、上記実施形態にて説明した部材と同じ機能を有する部材については、同じ符号を付記し、その説明を繰り返さない。
【００７４】
図１０は、実施形態２の在室判定装置２００の要部構成を示すブロック図である。図１０に示すように、在室判定装置２００は、制御部４５および通信部２０を備えている。制御部４５は、複数の部屋１０，１１，１２のそれぞれに設けられたドアセンサ１５、照度センサ１６、および、人感センサ１７の出力を取得し、これらの各センサの出力を参照して、各部屋の在室状態を判定する。
【００７５】
また、在室判定装置２００は、通信部２０を備え、通信部２０を介して１又は複数の外部機器５０と通信する。通信部２０は、例えばインターネットなどのネットワークを介して、１又は複数の外部機器５０と通信する。通信部２０は、ネットワークを介して、１又は複数の外部機器５０から情報を取得する取得部としても機能する。また、通信部２０は、ネットワークを介して、１又は複数の外部機器５０に対して情報を出力する出力部としても機能する。
【００７６】
制御部４５は、在室判定部４１、照明状況判定部４４に加えて、予約状況判定部４２、および通知部４３を備えている。
【００７７】
在室判定装置２００は、各部屋１０，１１，１２の予約状況と、使用状況とに応じて、適宜の通知を１又は複数の外部機器に送信する。なお、予約状況の管理は、記憶部３０に記憶された情報に基づいて在室判定装置１００の制御部４５が行う構成であってもよいし、１又は複数の外部機器５０によって行われる構成であってもよい。１又は複数の外部機器５０によって各部屋１０，１１，１２の予約状況が管理されている場合には、在室判定装置１００の制御部４５は、通信部２０を介して予約に関する情報を１又は複数の外部機器５０から取得する。
【００７８】
〔外部機器５０の構成〕
外部機器５０は、通信部５１、制御部５２、操作部５３、表示部５４、記憶部５５等の機能部を含むサーバコンピュータや端末コンピュータであり、スマートフォンやタブレット端末であってもよい。また、外部機器５０は、会話可能なロボット型端末、音声出力可能な家電、部屋内に設けられたスピーカ等の機器であってもよい。外部機器５０は、在室判定装置１００から予約状況に関する各種通知を受けるべく、在室判定装置１００に登録された複数のユーザの各々が所有する機器であってもよい。また、外部機器５０は、各部屋１０，１１，１２に備えられていてもよい。
【００７９】
通信部５１は、例えばインターネットなどのネットワークを介して、在室判定装置２００と通信する。
【００８０】
制御部５２は、外部機器５０の各部を統括的に制御する機能を備えている演算装置である。制御部５２は、例えば１つ以上のプロセッサ（例えばＣＰＵなど）が、１つ以上のメモリ（例えばＲＡＭやＲＯＭなど）に記憶されているプログラムを実行することで外部機器５０の各構成要素を制御する。
【００８１】
操作部５３は、ユーザの入力を受ける、ハードウェアの操作ボタンやキーボード、タッチパネル、ソフトウェアキーボード等を含んでいてもよい。
【００８２】
表示部５４は、表示パネルを備え、制御部５２に制御に基づいて表示パネルに画像を表示する。
【００８３】
記憶部５５は、制御部５２で用いられる種々のデータを格納するストレージである。記憶部５５は、例えば、内容の書き換えが可能な不揮発性メモリである、ＥＰＲＯＭ、ＥＥＰＲＯＭ（登録商標）、ＨＤＤ、フラッシュメモリなどのいずれか１つ、又はそれらの１つ以上の組み合わせによって実現される。
【００８４】
〔予約情報を用いた処理〕
（予約時間に部屋が在室か否かに基づく処理１）
図１１は、予約情報を用いた処理の一例を示すフローチャートである。なお、図示は省略するが、予約情報とは、記憶部３０に記憶された部屋の予約に関する情報であり、従来公知の予約システムなどで用いられる、予約者ＩＤ、予約時間帯、使用目的、予約者連絡先などの情報が、部屋ごとにテーブルに書き込まれている形態の情報を適宜に採用することができる。
【００８５】
図１１に示したフローチャートに沿って、予約時間における所定の部屋の在室状態を判定して適宜のアクションを実行する処理について説明する。
【００８６】
（ステップＳ２０１）
在室判定装置２００の制御部４５は、予約状況判定部４２の機能により、記憶部３０に記憶された予約情報と、現在時刻とを参照して、予約時間に入ったか否かを判定する。予約時間に入ったと判定すると、制御部４５はステップＳ２０２に進む。予約時間に入っていないと判定すると、制御部４５はステップＳ２０１に進み、予約時間に入ったと判定するまで、ステップＳ２０１を繰り返す。
【００８７】
（ステップＳ２０２）
制御部４５は、予約状況判定部４２の機能により、在室判定部４１の判定結果を参照して、予約時間に入った部屋が在室と判定されているかを判定する。予約時間に入った部屋が在室と判定されていると判定すると、予約状況判定部４２は、処理を終了する。予約時間に入った部屋が在室と判定されていないと判定すると、予約状況判定部４２は、ステップＳ２０３に進む。
【００８８】
（ステップＳ２０３）
制御部４５は、予約状況判定部４２の機能により、予約されている開示時間から所定時間、例えば５分間、経過したかを判定する。予約状況判定部４２は、予約されている開示時間から所定時間が経過したと判定すると、ステップＳ２０４に進む。予約状況判定部４２は、予約されている開示時間から所定時間が経過していないと判定すると、ステップＳ２０２に戻り、所定時間が経過するまでステップＳ２０２およびステップＳ２０３の判定処理を繰り返す。
【００８９】
（ステップＳ２０４）
制御部４５は、通知部４３の機能より、通信部２０を制御し、予約者に部屋が使用されていないことを通知する。予約者に部屋が使用されていないことを知らせる旨の通知は、例えば、「部屋ＡをＸ１時Ｙ１分〜Ｘ２時Ｙ２分に予約されていますが、ご使用になられていないようです。使用しない場合は、キャンセル、または、遅れて使用される場合は、時間の変更をお願いします。」といった内容とすることができる。
【００９０】
（ステップＳ２０５）
制御部４５は、所定時間、例えば５分間、処理を保留する。
【００９１】
（ステップＳ２０６）
制御部４５は、予約状況判定部４２の機能により、ステップＳ２０２において予約されているが使用されていないと判定した部屋の予約が変更されたか否かを判定する。予約状況判定部４２によって、部屋の予約が変更されたと判定されると、制御部４５は、処理を終了する。予約状況判定部４２によって、部屋の予約が変更されていないと判定されると、制御部４５は、予約を強制的に取り消す処理をした後、処理を終了する。
【００９２】
（予約時間に部屋が在室か否かに基づく処理２）
図１２は、予約情報を用いた処理の別の例を示すフローチャートである。図１２に示したフローチャートに沿って、予約時間における所定の部屋の在室状態を判定して適宜のアクションを実行する別の処理について説明する。
【００９３】
（ステップＳ２１１）
制御部４５は、予約状況判定部４２の機能により、在室判定部４１の判定結果を参照し、部屋が在室と判定されているか否かを判定する。予約状況判定部４２は、複数の部屋１０，１１，１２のそれぞれについて、当該判定を行う。予約状況判定部４２によって、部屋が在室と判定されていないと判定されると、制御部４５は、ステップＳ２１１に戻り、部屋が在室と判定されるまで当該ステップを繰り返す。予約状況判定部４２によって、部屋が在室と判定されていると判定されると、制御部４５は、ステップＳ２１２に進む。
【００９４】
（ステップＳ２１２）
制御部４５は、予約状況判定部４２の機能により、在室と判定された部屋について、現在時刻は予約時間内か否かを判定する。予約状況判定部４２によって、現在時刻は予約時間内であると判定されると、制御部４５は、ステップＳ２１３に進む。予約状況判定部４２によって、現在時刻は予約時間内ではないと判定されると、制御部４５は、ステップＳ２１４に進む。
【００９５】
（ステップＳ２１３）
制御部４５は、通知部４３の機能より、通信部２０を制御し、管理者に部屋が予約時間に在室である旨の通知を送信し、処理を終了する。
【００９６】
（ステップＳ２１４）
制御部４５は、通知部４３の機能より、通信部２０を制御し、管理者に部屋が予約時間外に無断で使用されていている旨の通知を送信し、処理を終了する。管理者に部屋が予約時間外に無断で使用されていている旨の通知、例えば、「部屋Ａは、現在予約されていませんが、在室中と判定されましたので、連絡いたします。」といった内容とすることができる。
【００９７】
〔キャンセル待ち情報を用いた処理〕
図１３は、予約情報と、キャンセル待ち情報とを用いた処理の一例を示すフローチャートである。キャンセル待ち情報とは、記憶部３０に記憶された部屋のキャンセル待ちに関する情報であり、従来公知の予約システムなどで用いられる、例えば、利用者ＩＤ、希望利用時間、利用者連絡先などの情報が、テーブルに書き込まれている形態の情報を適宜に採用することができる。利用者は、部屋を予約していないが、なんらかの目的で、部屋が空いている時間があれば、できるだけ早く部屋を利用したい場合に、例えば外部機器５０から、在室判定装置２００にキャンセル待ちをする旨の申請を行う。図１４は、記憶部３０に記憶されたキャンセル待ち情報が記録されたキャンセル待ちテーブルの一例を示す図である。
【００９８】
図１４に示すように、キャンセル待ちテーブルには、キャンセル待ちをしているユーザを特定する情報、例えばユーザ名やユーザＩＤ、がキャンセル待ちをした順に記録されている。また、キャンセル待ちテーブルには、ユーザが部屋を使用したい時間の長さである設定時間が記憶されている。設定時間には、ユーザが最低減、部屋を使用したい時間の長さ以上の時間が設定される。例えば、最低限１５分は部屋を使用したい場合には、ユーザは、１５分以上と設定時間を設定する。なお、図示は省略するが、設定時間に加えて、キャンセル待ちをする時間帯、例えば午前９時から午前１１時４５分の間、を設定可能な構成であってもよい。
【００９９】
なお、キャンセル待ちから部屋の使用が可能になった場合や、ユーザがキャンセル待ちを取り下げた場合には、キャンセル待ちテーブルから当該キャンセル待ち情報が自動で削除されてもよい。
【０１００】
図１３に示したフローチャートに沿って、予約情報と、キャンセル待ち情報とを参照して、予約時間を残して部屋のキャンセルが出た場合に適宜のアクションを実行する処理について説明する。
【０１０１】
（ステップＳ２２１）
制御部４５は、在室判定部４１によって退室と判定されると（例えば、図９のフローチャートに示した処理を参照）、ステップＳ２２２に進む。
【０１０２】
（ステップＳ２２２）
制御部４５は、予約状況判定部４２の機能によって、予約情報を参照して、予約時間は所定時間以上、例えば１５分以上、余っているか否かを判定する。予約状況判定部４２によって、予約時間は所定時間以上余っていると判定されると、制御部４５は、ステップＳ２２３に進む。予約状況判定部４２によって、予約時間は所定時間以上余っていないと判定されると、制御部４５は、処理を終了する。
【０１０３】
（ステップＳ２２３）
制御部４５は、通知部４３の機能によって、通信部２０を制御し、予約者に残り時間のキャンセルを要請する旨の通知を送信する。予約者に残り時間のキャンセルを要請する旨の通知は、例えば、「部屋ＡのＸ１時Ｙ１分〜Ｘ２時Ｙ２分予約での使用は終了しましたか？終了した場合は、残り時間のキャンセルをお願いします。」といった内容とすることができる。
【０１０４】
（ステップＳ２２４）
制御部４５は、予約状況判定部４２の機能によって、予約情報と、キャンセル待ち情報とを参照して、余っている時間により、キャンセル待ちをしているユーザのうち、部屋を使用する対象者を特定する。そして、制御部４５は、通知部４３の機能によって、通信部２０を制御し、特定した対象者と、管理者とに部屋の使用が可能な旨の通知を送信する。部屋の使用が可能な旨の通知は、例えば、「部屋ＡのＸ１時Ｙ１分〜Ｘ２時Ｙ２分予約のＸ３時Ｙ３分以降がキャンセルされました。Ｘ２時Ｙ２分までの間使用される場合は、ご予約ください。」といった内容とすることができる。
【０１０５】
予約状況判定部４２は、例えば、余っている時間が３２分であって、キャンセル待ちをしているユーザが、図１４のｃさん、ｄさん、ｅさんである場合には、キャンセル待ち設定時間が３０分以上であるｅさんを対象者として特定する。このように、予約状況判定部４２は、キャンセル待ちの順番と、キャンセル待ち設定時間とを参照して、対象者を特定するため、予約時間が余った場合に、効率よく部屋を使用することが可能となる。
【０１０６】
また、会議室を全く使用せずに、予約がキャンセルされた場合も、同様にキャンセル待ちの設定時間に合わせてキャンセル待ちの対象者に部屋が使用可能な旨の連絡を行うことができ、効率よく部屋を使用することが可能となる。
【０１０７】
また、例えば、予約時間が余った際にキャンセル待ちが無い場合には、部屋の使用終了時刻から次の予約時刻まで部屋が空いている旨の通知を清掃担当者に連絡することもできる。このように、予約時間が余った場合に、効率よく部屋の清掃を行うことができる。
【０１０８】
また、制御部４５は、予約状況判定部４２の機能によって、一定時間ごとの部屋の在室状態に基づいて、部屋の使用および未使用を判定してもよい。そして、制御部４５は、通知部４３の機能によって、図１５に例を示した、部屋の予約状況と、使用状況をと示す情報を一定時間ごとに生成して、通信部２０を介して管理者に送信する構成であってもよい。
【０１０９】
〔予約時間終了を通知する処理〕
図１６は、予約時間終了を通知する処理の例を示すフローチャートである。図１６に示したフローチャートに沿って、予約時間終了に関する通知を行う処理について説明する。
【０１１０】
（ステップＳ２３１）
制御部４５は、予約状況判定部４２の機能によって、予約情報と、現在時刻とを参照して、予約時間終了の所定時間前か、例えば５分前か、否かを判定する。予約状況判定部４２によって、予約時間終了の所定時間前であると判定されると、制御部４５は、ステップＳ２３２に進む。予約状況判定部４２によって、予約時間終了の所定時間前ではないと判定されると、制御部４５は、ステップＳ２３１に戻り、予約時間終了の所定時間前であると判定されるまでステップＳ２３１を繰り返す。
【０１１１】
（ステップＳ２３２）
制御部４５は、予約状況判定部４２の機能によって、予約時間終了後に別の予約が、該当する部屋に有るか否かを判定する。予約状況判定部４２によって、予約時間終了後に別の予約が有ると判定されると、制御部４５は、ステップＳ２３３に進む。予約状況判定部４２によって、予約時間終了後に別の予約がないと判定されると、制御部４５は、ステップＳ２３４に進む。
【０１１２】
（ステップＳ２３３）
制御部４５は、通知部４３の機能により、通信部２０を制御して、予約者および管理者に予約時間が終了する旨の通知を送信し、処理を終了する。予約者に送信される通知は例えば、「部屋ＡをＸ時Ｙ分まで予約されていますが、間もなく終了時間となります。時間内の退室をお願いいたします。」といった内容とすることができる。
【０１１３】
（ステップＳ２３４）
制御部４５は、通知部４３の機能により、通信部２０を制御して、予約者および管理者に会議延長が可能である旨の通知を送信し、処理を終了する。予約者に送信される通知は例えば、「部屋ＡをＸ時Ｙ分まで予約されていますが、間もなく終了時間となります。延長が可能ですので、必要な方は申請してください。」といった内容とすることができる。
【０１１４】
なお、制御部４５は、予約情報を参照して、会議延長が可能な時間を合わせて、予約者および管理者に通知する構成であってもよい。会議延長が可能な時間は、例えば、１５時までのように何時まで延長可能かであってもよいし、１時間のように援用可能な時間の長さであってもよい。
【０１１５】
〔照明消し忘れに関する処理〕
また、制御部４５は、予約情報と、在室判定部４１による判定結果と、照明状況判定部４４の判定結果と、を参照して、照明の消し忘れを通知する処理を行うことができてもよい。図１７は、照明の消し忘れを通知する処理の例を示すフローチャートである。図１７に示したフローチャートに沿って、照明の消し忘れに関する通知を行う処理について説明する。
【０１１６】
（ステップＳ２４１）
制御部４５は、在室判定部４１の機能によって、ドアセンサ１５が反応したか否かを判定する。在室判定部４１によって、ドアセンサ１５が反応したと判定されると、制御部４５は、ステップＳ２４２に進む。在室判定部４１によって、ドアセンサ１５が反応していないと判定されると、制御部４５は、ステップＳ２４１に戻り、ドアセンサ１５の反応が検出されるまで、ドアセンサ１５が反応したか否かの判定を繰り返す。
【０１１７】
（ステップＳ２４２）
制御部４５は、照明状況判定部４４の機能によって、照度センサ１６の出力を参照して照明がＯＦＦになっているか否かを判定する。照明状況判定部４４によって、照明がＯＦＦになっていると判定されると、制御部４５は、ステップＳ２４３に進む。照明状況判定部４４によって、照明がＯＦＦになっていないと判定されると、制御部４５は、ステップＳ２４４に進む。
【０１１８】
（ステップＳ２４３）
制御部４５は、在室判定部４１の機能により退室と判定し、処理を終了する。
【０１１９】
（ステップＳ２４４）
制御部４５は、所定時間をカウントするタイマーをＯＮにする。
【０１２０】
（ステップＳ２４５）
制御部４５は、在室判定部４１の機能により、人感センサ１７の反応が有るか否かを判定する。在室判定部４１によって、人感センサ１７の反応が有ると判定されると、制御部４５は、ステップＳ２４１に戻り、ドアセンサ１５が反応したか否かの判定を行う。在室判定部４１によって、人感センサ１７の反応が無いと判定されると、制御部４５は、ステップＳ２４６に進む。
【０１２１】
（ステップＳ２４６）
制御部４５は、ステップＳ２４４でセットしたタイマーでカウントした時間が所定時間、例えば５分間、経過したか否かを判定する。タイマーでカウントした時間が所定時間経過していないと判定すると、制御部４５は、ステップＳ２４５に戻り、人感センサ１７の反応の有無の検出を行う。タイマーでカウントした時間が所定時間経過したと判定すると、制御部４５は、ステップＳ２４７に進む。
【０１２２】
（ステップＳ２４７）
制御部４５は、通知部４３の機能により、通信部２０を制御して、予約情報に基づいて特定される部屋の使用や、および管理者に照明が消し忘れられている旨の通知を送信し、処理を終了する。照明が消し忘れられている旨の通知は、例えば、「部屋ＡのＸ１時Ｙ１分〜Ｘ２時Ｙ２分予約の使用は終了しましたか？照明がまだついているので、終了した場合には、消灯をお願いします。」といった内容とすることができる。
【０１２３】
このように、制御部４５は、ドアセンサ１５の出力と、照度センサ１６の出力とを参照して、部屋の照明が消し忘れられたかを判定する。そして、ドアセンサ１５の反応後、照明が消されていない場合には、人感センサ１７の反応に応じて、照明の消し忘れを検出して、照明が消し忘れられている旨の通知を、部屋の使用やおよび管理者に通知することができる。これにより、不在の部屋の照明が消し忘れられているまま放置されることがない。
【０１２４】
なお、上述したステップＳ２４４〜ステップＳ２４６を省略して、照明が消し忘れられていることを通知する構成であってもよい。
【０１２５】
〔照明ＯＦＦ後に在室判定を行う処理〕
また、部屋の使用中であって、プロジェクター使用時等に照明がＯＦＦにされる場合がある。このような場合に、在室状態を判定する処理について次に説明する。
【０１２６】
図１８は、照明ＯＦＦ後に在室判定を行う処理の一例を示すフローチャートである。図１８に示したフローチャートに沿って、照明ＯＦＦ後に在室判定を行う処理について説明する。
【０１２７】
（ステップＳ２５１）
制御部４５は、照明状況判定部４４の機能によって、照度センサ１６の出力を参照して、照明がＯＦＦになっているか否かを判定する。照明状況判定部４４によって、照明がＯＦＦになっていると判定されると、制御部４５はステップＳ２５２に進む。照明状況判定部４４によって、照明がＯＦＦになっていないと判定されると、制御部４５は、照明がＯＦＦになっていると判定されるまでステップＳ２５１を繰り返す。
【０１２８】
（ステップＳ２５２）
制御部４５は、在室判定部４１の機能によって、ドアセンサ１５の出力を参照し、ドアセンサ１５が反応したか否かを判定する。在室判定部４１によって、ドアセンサ１５が反応したと判定されると、制御部４５はステップＳ２５４に進む。在室判定部４１によって、ドアセンサ１５が反応していないと判定されると、制御部４５はステップＳ２５３に進む。
【０１２９】
（ステップＳ２５３）
制御部４５は、在室判定部４１の機能によって、部屋が在室であると判定し、処理を終了する。
【０１３０】
（ステップＳ２５４）
制御部４５は、在室判定部４１の機能によって、部屋を退室したと判定し、処理を終了する。
【０１３１】
このように、制御部４５は、ドアセンサ１５の出力と、照度センサ１６の出力とを参照して、部屋の照明が在室中に消灯されたか否かを判定する。制御部４５は、部屋の在室中に照明がＯＦＦになった場合には、ドアの開閉が無いかを確認して、ドアの開閉が無い場合には在室状態が継続していると判定する。よって、部屋の在室中に照明をＯＦＦにしても、退室したと判定されることがなく、在室判定を精度良く行うことができる。
【０１３２】
〔実施形態３〕
本発明の実施形態３について、以下に説明する。なお、説明の便宜上、上記実施形態にて説明した部材と同じ機能を有する部材については、同じ符号を付記し、その説明を繰り返さない。
【０１３３】
〔遠隔在室判定システムの構成〕
図１９は、実施形態３に係る遠隔在室判定システム３００の要部構成を示す図である。例えば遠隔会議を行う場合、それぞれの拠点で、相手が在室中か否かがわからないため、連絡が来るのを長時間待ったり、電話やメールで在室状況を問い合わせたりする場合がしばしばある。本実施形態では、遠隔で、相手の在室状況を判定することで、遠隔会議を効率良く始めることができる遠隔在室判定システム３００について説明する。
【０１３４】
図１９に示すように、遠隔在室判定システム３００は、会議室管理サーバ３０１と、遠隔会議サーバ３０２とを備えている。遠隔在室判定システム３００では、会議室管理サーバ３０１と、遠隔会議サーバ３０２とを介して、互いに離れた位置に存在するＡ拠点会議室３１１と、Ｂ拠点会議室３１２と、の間で遠隔会議を行うことができる。
【０１３５】
各拠点の会議室３１１，３１２には、それぞれドアセンサ１５、照度センサ１６、人感センサ１７等の複数のセンサの組み合わせからなるセンサ３１６が備えられている。また、各拠点の会議室３１１，３１２には、センサ３１６の出力データを蓄積するゲートウェイ３１５が備えられている。
【０１３６】
また、各拠点の会議室３１１，３１２には、遠隔会議用の通信機能が実装されている遠隔会議システム端末３１０が設置されている。
【０１３７】
会議室管理サーバ３０１は、各拠点の会議室３１１，３１２毎に設けられたゲートウェイ３１５からデータを受け取る。
【０１３８】
遠隔会議サーバ３０２は、各拠点の会議室３１１，３１２にそれぞれ設けられた遠隔会議システム端末３１０と通信する。
【０１３９】
会議室管理サーバ３０１は、実施形態１および２で説明した在室判定装置１００，２００として機能するサーバであり、ゲートウェイ３１５を介して取得したセンサ３１６の出力を参照して、各拠点の会議室３１１，３１２の在室判定を行う。
【０１４０】
例えば、会議室管理サーバ３０１は、Ａ拠点会議室３１１が在室である旨を判定すると、遠隔会議サーバ３０２に対して、Ｂ拠点会議室３１２の遠隔会議システム端末３１０にＡ拠点会議室３１１が在室で有る旨の通知を送信するよう指示する。Ｂ拠点会議室３１２において、Ａ拠点会議室３１１が在室である旨の通知が受信されると、遠隔会議サーバ３０２は、Ｂ拠点会議室３１２が会議開始可能と判定して、Ａ拠点会議室３１１およびＢ拠点会議室３１２の間の通信の接続操作を行ったり、接続スタンバイを行ったりすることができる。
【０１４１】
よって、遠隔会議において、相手が在室中か否かがわからないといったことが無く、効率よく会議を開始することができる。
【０１４２】
〔実施形態４〕
上記各実施形態では、１つの在室判定装置１００，２００を用いる例を説明したが、在室判定装置１００，２００の有する各機能が、個別のサーバにて実現されていてもよい。そして、複数のサーバを適用する場合においては、各サーバは、同じ事業者によって管理されていてもよいし、異なる事業者によって管理されていてもよい。
【０１４３】
〔実施形態５〕
在室判定装置１００，２００および会議室管理サーバ３０１の各ブロックは、集積回路（ＩＣチップ）等に形成された論理回路（ハードウェア）によって実現してもよいし、ソフトウェアによって実現してもよい。後者の場合、在室判定装置１００，２００および会議室管理サーバ３０１のそれぞれを、図２０に示すようなコンピュータ（電子計算機）を用いて構成することができる。
【０１４４】
図２０は、在室判定装置１００，２００または会議室管理サーバ３０１として利用可能なコンピュータ９１０の構成を例示したブロック図である。コンピュータ９１０は、バス９１１を介して互いに接続された演算装置９１２と、主記憶装置９１３と、補助記憶装置９１４と、入出力インターフェース９１５と、通信インターフェース９１６とを備えている。演算装置９１２、主記憶装置９１３、および補助記憶装置９１４は、それぞれ、例えばプロセッサ（例えばＣＰＵ：Central Processing Unit等）、ＲＡＭ（random access memory）、ハードディスクドライブであってもよい。入出力インターフェース９１５には、ユーザがコンピュータ９１０に各種情報を入力するための入力装置９２０、および、コンピュータ９１０がユーザに各種情報を出力するための出力装置９３０が接続される。入力装置９２０および出力装置９３０は、コンピュータ９１０に内蔵されたものであってもよいし、コンピュータ９１０に接続された（外付けされた）ものであってもよい。例えば、入力装置９２０は、キーボード、マウス、タッチセンサなどであってもよく、出力装置９３０は、ディスプレイ、プリンタ、スピーカなどであってもよい。また、タッチセンサとディスプレイとが一体化されたタッチパネルのような、入力装置９２０および出力装置９３０の双方の機能を有する装置を適用してもよい。そして、通信インターフェース９１６は、コンピュータ９１０が外部の装置と通信するためのインターフェースである。
【０１４５】
補助記憶装置９１４には、コンピュータ９１０を在室判定装置１００，２００または会議室管理サーバ３０１として動作させるための各種のプログラムが格納されている。そして、演算装置９１２は、補助記憶装置９１４に格納された上記プログラムを主記憶装置９１３上に展開して該プログラムに含まれる命令を実行することによって、コンピュータ９１０を、在室判定装置１００，２００または会議室管理サーバ３０１が備える各部として機能させる。なお、補助記憶装置９１４が備える、プログラム等の情報を記録する記録媒体は、コンピュータ読み取り可能な「一時的でない有形の媒体」であればよく、例えば、テープ、ディスク、カード、半導体メモリ、プログラマブル論理回路などであってもよい。また、記録媒体に記録されているプログラムを、主記憶装置９１３上に展開することなく実行可能なコンピュータであれば、主記憶装置９１３を省略してもよい。なお、上記各装置（演算装置９１２、主記憶装置９１３、補助記憶装置９１４、入出力インターフェース９１５、通信インターフェース９１６、入力装置９２０、および出力装置９３０）は、それぞれ１つであってもよいし、複数であってもよい。
【０１４６】
また、上記プログラムは、コンピュータ９１０の外部から取得してもよく、この場合、任意の伝送媒体（通信ネットワークや放送波等）を介して取得してもよい。そして、本発明は、上記プログラムが電子的な伝送によって具現化された、搬送波に埋め込まれたデータ信号の形態でも実現され得る。
【０１４７】
〔まとめ〕
本発明の態様１に係る在室判定装置は、ドア状態情報を取得するドア状態情報取得部と、  照度情報を取得する照度情報取得部と、制御部とを備え、上記制御部は、上記ドア状態情報と、上記照度情報とを参照して、所定の部屋の在室状態を判定する構成である。
【０１４８】
上記の構成によれば、所定の部屋の在室状態の判定精度を向上することができる。
【０１４９】
本発明の態様２に係る在室判定装置は、上記の態様１において、人間の所在情報を取得する所在情報取得部を更に備え、上記制御部は、上記所在情報を更に参照して、所定の部屋の在室状態を判定する構成としてもよい。
【０１５０】
本発明の態様３に係る在室判定装置は、上記の態様２において、上記制御部は、所定の時間離れた複数の時点における上記照度情報又は所在情報を参照して、所定の部屋の在室状態を判定する構成としてもよい。
【０１５１】
本発明の態様４に係る在室判定装置は、上記の態様１から３の何れか１項において、上記制御部は、上記照度情報の変化を参照して、所定の部屋の在室状態を判定する構成としてもよい。
【０１５２】
本発明の態様５に係る在室判定装置は、上記の態様１から４の何れか１項において、上記制御部は、上記ドア状態情報と、上記照度情報とを参照して、部屋の照明が消し忘れられたか否かを判定する構成としてもよい。
【０１５３】
本発明の態様６に係る在室判定装置は、上記の態様１から４の何れか１項において、上記制御部は、上記ドア状態情報と、上記照度情報とを参照して、消灯が在室中に行われたか否かを判定する構成としてもよい。
【０１５４】
上記の構成によれば、在室中に部屋の照明が消灯された場合に、退室したと誤判定されることがなく、在室状態の判定精度を向上することができる。
【０１５５】
本発明の各態様に係る在室判定装置は、コンピュータによって実現してもよく、この場合には、コンピュータを上記在室判定装置が備える各部（ソフトウェア要素）として動作させることにより上記在室判定装置をコンピュータにて実現させる在室判定装置の制御プログラム、およびそれを記録したコンピュータ読み取り可能な記録媒体も、本発明の範疇に入る。
【０１５６】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１５７】
１５  ドアセンサ（ドア状態情報取得部）
１６  照度センサ（照度情報取得部）
１７  人感センサ（所在情報取得部）
２０  通信部
３０  記憶部
４０、４５  制御部
４１  在室判定部
４２  予約状況判定部
４３  通知部
４４  照明状況判定部
１００、２００  在室判定装置
３００  遠隔在室判定システム
【図１】
2019074471.tif 000003
【図２】
2019074471.tif 000004
【図３】
2019074471.tif 000005
【図４】
2019074471.tif 000006
【図５】
2019074471.tif 000007
【図６】
2019074471.tif 000008
【図７】
2019074471.tif 000009
【図８】
2019074471.tif 000010
【図９】
2019074471.tif 000011
【図１０】
2019074471.tif 000012
【図１１】
2019074471.tif 000013
【図１２】
2019074471.tif 000014
【図１３】
2019074471.tif 000015
【図１４】
2019074471.tif 000016
【図１５】
2019074471.tif 000017
【図１６】
2019074471.tif 000018
【図１７】
2019074471.tif 000019
【図１８】
2019074471.tif 000020
【図１９】
2019074471.tif 000021
【図２０】
2019074471.tif 000022